(57)【要約】【課題】良好な遮断性能を有するガス遮断器を提供することを目的とする。【解決手段】円筒状の絶縁ノズル２３の内部に同心状に設けられる絶縁円柱体３０を配置し、その絶縁ノズル２３と絶縁円柱体３０との間に円筒状空間３１を形成するようにした。また、アーク放電５０の軸方向と同じ方向の磁場成分を有する磁場を円筒状空間３１内に作る磁石３２ａ、３２ｂを設けるようにした。円筒状空間３１には、対向アーク接触子１１と可動アーク接触子２１の先端を対向して挿入し、また蓄圧空間で消弧性ガスを蓄圧して円筒状空間３１に放出するようにした。【選択図】図１
2015002142.tif 000002
【特許請求の範囲】
【請求項１】
電流遮断と投入を切り替えるガス遮断器であって、
消弧性ガスが充填された密閉容器と、
円筒状の絶縁ノズルと、
前記絶縁ノズルの内部に同心状に設けられる絶縁円柱体と、
前記絶縁ノズルの内面と前記絶縁円柱体の外面とにより形成される筒状空間と、
前記筒状空間に少なくとも両接触子先端が対向して挿入されて、遮断動作に伴って開離し、前記筒状空間内にアーク放電を発生させる第１接触子及び第２接触子と、
前記消弧性ガスを蓄圧して前記筒状空間に放出する蓄圧空間と、
前記アーク放電の軸方向と同じ方向の磁場成分を有する磁場を前記筒状空間内に作り、前記アーク放電に対して印加する磁場発生手段と、
を備えること、
を特徴とするガス遮断器。
【請求項２】
電流遮断と投入を切り替えるガス遮断器であって、
消弧性ガスが充填された密閉容器と、
円筒状の絶縁ノズルと、
前記絶縁ノズルの内部に同心状に設けられる絶縁円柱体と、
前記絶縁ノズルの内面と前記絶縁円柱体の外面とにより形成される筒状空間と、
前記筒状空間に少なくとも両接触子先端が対向して挿入されて、遮断動作に伴って開離し、前記筒状空間内にアーク放電を発生させる第１接触子及び第２接触子と、
前記消弧性ガスを蓄圧して前記筒状空間に放出する蓄圧空間と、
前記アーク放電の軸方向と垂直な方向の磁場成分を有する磁場を前記筒状空間内に作り、前記アーク放電に対して印加する磁場発生手段と、
を備えること、
を特徴とするガス遮断器。
【請求項３】
前記磁場発生手段は、磁石であること、
を特徴とする請求項１又は２記載のガス遮断器。
【請求項４】
前記磁場発生手段は、コイルであること、
を特徴とする請求項１又は２記載のガス遮断器。
【請求項５】
前記コイルは、前記第１接触子又は第２接触子に電気的に接続して設けられ、遮断電流が流れること、
を特徴とする請求項４記載のガス遮断器。
【請求項６】
電流遮断と投入を切り替えるガス遮断器であって、
消弧性ガスが充填された密閉容器と、
円筒状の絶縁ノズルと、
前記絶縁ノズルの内部に同心状に設けられる絶縁円柱体と、
前記絶縁ノズルの内面と前記絶縁円柱体の外面とにより形成される筒状空間と、
前記筒状空間に少なくとも両接触子先端が対向して挿入されて、遮断動作に伴って開離し、前記筒状空間内にアーク放電を発生させる第１接触子及び第２接触子と、
前記消弧性ガスを蓄圧して前記筒状空間に放出する蓄圧空間と、
前記筒状空間のガス流を旋回流に整流し、当該旋回流により前記アークに旋回力を与えるガス整流手段と、
を備えること、
を特徴とするガス遮断器。
【請求項７】
前記消弧性ガスは、六弗化硫黄ガスよりも地球温暖化係数が低く、かつ分子量が小さく、かつ少なくとも１気圧以上及び摂氏２０度以下で気相であるガスの単体若しくは混合ガスであること、
を特徴とする請求項１乃至６の何れかに記載のガス遮断器。
【発明の詳細な説明】
【技術分野】
【０００１】
本発明の実施形態は、電力系統において電流遮断及び投入を切り換えるガス遮断器に関する。
【背景技術】
【０００２】
電力系統において、過大な事故電流、進み小電流、リアクトル遮断等の遅れ負荷電流、又は極めて小さな事故電流等の遮断を要する場合にガス遮断器が利用される。ガス遮断器は、遮断過程で接触子を機械的に切り離し、切り離しの過程で発弧したアーク放電を消弧性ガスの吹き付けによって消弧する。
【０００３】
上記のようなガス遮断器は、パッファ型と呼ばれるタイプが広く普及している（例えば、特許文献１参照）。パッファ型ガス遮断器は、７２ｋＶ以上の高電圧送電系の保護用開閉器として広く普及しており、消弧性ガスが充填された密閉容器内に、対向アーク接触子及び対向通電接触子と、可動アーク接触子及び可動通電接触子とがそれぞれ対向して配置され、それぞれを機械的な駆動力によって接触又は離反させることで電流を導通し又は遮断する。
【０００４】
このガス遮断器には、接触子の離反に伴って容積が減少し、内部の消弧性ガスが蓄圧される蓄圧空間と、両アーク接触子を取り囲むように配置され、蓄圧空間の消弧性ガスをアーク放電に誘導する絶縁ノズルが設けられている。遮断過程においては、対向アーク接触子と可動アーク接触子が離反することで、両アーク接触子間にアーク放電が発生する。接触子の離反に伴って蓄圧空間で十分蓄圧された消弧性ガスを、絶縁ノズルを介してアーク放電に強力に吹き付けることにより、両アーク接触子の絶縁性能を回復させ、アーク放電を消弧し、電流の遮断を完了させる。
【０００５】
消弧性ガスは、蓄圧空間から絶縁ノズルへ流れ込み、絶縁ノズルの最も流路が狭まったスロート部において一般的に最も流速が速くなる。アーク放電には電流が流れているためジュール発熱により高温の状態となっており、その周囲に低温の消弧性ガスが高速で流れる。
【０００６】
従って、アーク遮断過程におけるスロート部における温度分布は、図１０に示すように、アーク放電が発弧する中心領域では温度が高く、スロート部の内壁面に近づくほど温度が低くなっており、その温度勾配は急峻である。このため、アーク放電から周辺の低温かつ高速で流れるガスへと向かう熱の流れが生じ、アーク放電は冷却される。
【０００７】
アーク放電の導電率は温度低下に対して単調に減少する。そのため、アーク放電は冷却に伴い導電性を著しく失い、最終的には絶縁物となるまで冷却され、電流零点に至って消弧され、電流の遮断は完了する。この電流零点において、アーク放電が周囲の低温の消弧性ガスと広い面積で接触し、熱移動が効率的であれば、交流電流は速やかに遮断されることとなる。
【０００８】
そこで、絶縁ノズルのスロート部内径を小さくすることで、ガス流の排気流量を高めることが考えられる。しかしながら、絶縁ノズルの内径を小さくすると、当然ながら、その内部に位置するアーク接触子の径も小さくなる。そうすると、アーク接触子が細くなってしまい、電流遮断に伴いアーク接触子が損耗しやすく、耐久性に劣る傾向にあった。
【０００９】
この問題を解決すべく、絶縁ノズルの内部に両アーク接触子と一直線に並ぶ絶縁円柱体を設け、絶縁ノズルのスロート部の断面形状を筒状に構成することが提案されている（例えば、特許文献２参照）。この構成によれば、アーク接触子間を橋絡するアーク放電は、絶縁円柱体を迂回するように発弧するため、絶縁ノズルと絶縁円柱体の間の円筒状空間に均一に分布する形状となる。すなわち、アーク放電は円筒形状を有することとなる。
【００１０】
円筒形状のアーク放電は、両アーク接触子間にライン状に橋絡していた場合と比べ、格段に広い表面積を有する。そのため、このアーク放電は、周囲の低温の消弧性ガスとの広い接触面積を持ち、冷却性能が飛躍的に向上し、ひいては電流遮断性能が飛躍的に向上する。
【００１１】
さらに、この構成は、従来と同程度の実効スロート面積を維持しつつ、アーク接触子の径を太くできるため、パッファ圧力を十分に高めても，接触子の耐久性を向上する。
【先行技術文献】
【特許文献】
【００１２】
【特許文献１】特公平７−１０９７４４号公報
【特許文献２】特開２０１０−２１１９６６号公報
【発明の概要】
【発明が解決しようとする課題】
【００１３】
絶縁ノズルの内部に絶縁円柱体を設け、絶縁ノズルのスロート部の断面形状を筒状に構成する方式では、確かに、冷却性能の向上が見られた。しかしながら、交流電流において電流瞬時値が大きい期間においては、アーク放電は絶縁ノズルと絶縁円柱体との間の円筒状空間内に略均一に広がるものの、電流零点近傍の遮断電流の瞬時値が小さい位相では、アーク放電は円筒形状にならず、スロート部の一部に偏って点弧してしまうことが分かった。このため、更なる冷却性能の向上余地が期待されるところである。
【００１４】
本実施形態に係るガス遮断器は、上記のような課題を解決するためになされたものであり、良好な遮断性能を有するガス遮断器を提供することを目的とする。
【課題を解決するための手段】
【００１５】
上記の目的を達成するために、本実施形態のガス遮断器は、電流遮断と投入を切り替えるガス遮断器であって、消弧性ガスが充填された密閉容器と、円筒状の絶縁ノズルと、前記絶縁ノズルの内部に同心状に設けられる絶縁円柱体と、前記絶縁ノズルの内面と前記絶縁円柱体の外面とにより形成される筒状空間と、前記筒状空間に少なくとも両接触子先端が対向して挿入されて、遮断動作に伴って開離し、前記筒状空間内にアーク放電を発生させる第１接触子及び第２接触子と、前記消弧性ガスを蓄圧して前記筒状空間に放出する蓄圧空間と、前記アーク放電の軸方向と同じ方向の磁場成分を有する磁場を前記筒状空間内に作り、前記アーク放電に対して印加する磁場発生手段と、を備えること、を特徴とする。
【００１６】
また、本実施形態のガス遮断器の他の態様は、電流遮断と投入を切り替えるガス遮断器であって、消弧性ガスが充填された密閉容器と、円筒状の絶縁ノズルと、前記絶縁ノズルの内部に同心状に設けられる絶縁円柱体と、前記絶縁ノズルの内面と前記絶縁円柱体の外面とにより形成される筒状空間と、前記筒状空間に少なくとも両接触子先端が対向して挿入されて、遮断動作に伴って開離し、前記筒状空間内にアーク放電を発生させる第１接触子及び第２接触子と、前記消弧性ガスを蓄圧して前記筒状空間に放出する蓄圧空間と、前記アーク放電の軸方向と垂直な方向の磁場成分を有する磁場を前記筒状空間内に作り、前記アーク放電に対して印加する磁場発生手段と、を備えること、を特徴とする。
【００１７】
また、本実施形態のガス遮断器の他の態様は、電流遮断と投入を切り替えるガス遮断器であって、消弧性ガスが充填された密閉容器と、円筒状の絶縁ノズルと、前記絶縁ノズルの内部に同心状に設けられる絶縁円柱体と、前記絶縁ノズルの内面と前記絶縁円柱体の外面とにより形成される筒状空間と、前記筒状空間に少なくとも両接触子先端が対向して挿入されて、遮断動作に伴って開離し、前記筒状空間内にアーク放電を発生させる第１接触子及び第２接触子と、前記消弧性ガスを蓄圧して前記筒状空間に放出する蓄圧空間と、前記筒状空間のガス流を旋回流に整流し、当該旋回流により前記アークに旋回力を与えるガス整流手段と、を備えること、を特徴とする。
【図面の簡単な説明】
【００１８】
【図１】第１の実施形態に係るガス遮断器の全体構成を示す断面図である。
【図２】第１の実施形態に関し、絶縁円柱体及び磁気発生体付近の上半分の拡大図である。
【図３】第１の実施形態に関し、アーク放電の橋絡を示し、（ａ）は側面図、（ｂ）は遮断電流の瞬時値が大きい位相、（ｃ）は遮断電流の瞬時値が小さい位相を示す。
【図４】第１の実施形態に関し、アーク放電近傍の磁力線を示す図である。
【図５】第２の実施形態に係るガス遮断器のアーク放電近傍の磁力線を示す図である。
【図６】第２の実施形態に関し、アーク放電の橋絡を示し、（ａ）は側面図、（ｂ）は遮断電流の瞬時値が大きい位相、（ｃ）は遮断電流の瞬時値が小さい位相を示す。
【図７】第３の実施形態に係るガス遮断器の可動アーク接触子付近の上半分の拡大図である。
【図８】第３の実施形態に関し、アーク放電の橋絡を示し、（ａ）は側面図、（ｂ）は遮断電流の瞬時値が大きい位相、（ｃ）は遮断電流の瞬時値が小さい位相を示す。
【図９】第４の実施形態に係るガス遮断器の構成を示し、（ａ）は可動アーク接触子付近の上半分の拡大図であり、（ｂ）は可動アーク接触子の縦断面図である。
【図１０】絶縁ノズルのスロート部内の従来の温度勾配を示す図である。
【発明を実施するための形態】
【００１９】
（第１の実施形態）
以下、図１乃至４を参照しつつ、第１の実施形態に係るガス遮断器を説明する。ガス遮断器は、電路を構成する接触子同士を接離し、電流遮断と投入状態とを切り替える。電流遮断過程では、アーク放電を円筒形状に制御した上で接触子間に橋絡させる。また、電流遮断過程では、消弧性ガスのガス流を生成し、そのガス流をアーク放電に案内して吹き付けることで、アーク放電を冷却し、電流零点で消弧させる。
【００２０】
図１に示すように、このガス遮断器は、消弧性ガスが充填された密閉容器６０を有する。密閉容器６０は、金属や碍子等からなり、接地されている。消弧性ガスは、六弗化硫黄ガス（ＳＦ６ガス）、空気、二酸化炭素、酸素、窒素、またはそれらの混合ガス、その他の消弧性能及び絶縁性能に優れたガスである。望ましくは、消弧性ガスは、六弗化硫黄ガスよりも地球温暖化係数が低く、かつ分子量が小さく、かつ少なくとも１気圧以上及び摂氏２０度以下で気相であるガスの単体若しくは混合ガスである。
【００２１】
接触子は、大別すると対向接触子部１０と可動接触子部２０に別れ、密閉容器６０内に対向配置されている。対向接触子部１０と可動接触子部２０は、それぞれ、内部中空の円筒又は内部中実の円柱を基本形とする複数の部材で主に構成され、共通の中心軸を有する同心状配置となっており、径を合わせることで関係部材同士が対向して共同的に機能する。
【００２２】
密閉容器６０の内壁面には絶縁支持部材１４が接合により立設されている。対向接触子部１０は、この絶縁支持部材１４に支持されて位置固定されている。可動接触子部２０は、操作ロッド２５を備え、操作ロッド２５に連動して、中心軸に沿って対向接触部１０から開離及び接触する方向に移動する。
【００２３】
操作ロッド２５は、対向接触子部１０側に先端を向けて中心軸線上に延びる内部中空の筒である。先端は筒の厚み分を残して開口し、中空部への入り口となっている。後端は駆動装置（不図示）に接続される。この操作ロッド２５は、駆動装置によって対向接触子部１０側へ押し込まれ、または対向接触子部１０とは反対側に引き離される。
【００２４】
可動接触子部２０の可動要素は、この操作ロッド２５に直接又は間接的に連結し、操作ロッド２５の押し引きに応じて対向接触子部１０に対して接離する。これにより、可動接触子部２０が対向接触子部１０に対して接離し、電流の投入と遮断、及びアーク放電５０の発弧及び消弧が実現する。
【００２５】
対向接触子部１０は、対向アーク接触子１１及び対向通電接触子１２を有する。可動接触子部２０は、可動アーク接触子２１及び可動通電接触子２２を有する。対向通電接触子１２と可動通電接触子２２とが対向し、また対向アーク接触子１１と可動アーク接触子２１とが対向し、これらの接離により電流の投入及び遮断が切り換えられる。また、対向アーク接触子１１と可動アーク接触子２１の開離により、その間にアーク放電５０が橋絡する。
【００２６】
対向通電接触子１２と可動通電接触子２２は、それぞれ両端面が開口した円筒形状を有する導体であり、一方の開口を向かい合わせて同一軸上に対向配置されている。対向通電接触子１２は、絶縁支持部材１４に外周面で接合されることで、密閉容器６０内に固定される。可動通電接触子２２は、操作ロッド２５と連結された後述のシリンダ２４の端面に立設することで、操作ロッド２５に連動して中心軸方向に移動する。
【００２７】
対向通電接触子１２の開口縁は内部に膨出しており、当該開口縁部分の内径と可動通電接触子２２の外径は一致している。対向通電接触子１２の開口に可動通電接触子２２が差し込まれることで、対向通電接触子１２の内面と可動通電接触子２２の外面とが接触し、電気的に導通できる状態となる。また、対向通電接触子１２の開口から可動通電接触子２２を引き抜くことで、対向通電接触子１２と可動通電接触子２２とが開離する。
【００２８】
対向アーク接触子１１は概略棒状の導体であり、可動アーク接触子２１は両端が開口した内部中空の円筒形状を有する導体であり、同一軸上に対向配置される。対向アーク接触子１１は、対向通電接触子１２の内周面に立設した固定支え１３に接合されて、対向通電接触子１２の内部に中心軸に沿って延びるように固定される。可動アーク接触子２１は、操作ロッド２５と同径で、操作ロッド２５の先端から引き続くように操作ロッド２５の先端縁に接合され、操作ロッド２５と連動して中心軸方向に移動する。
【００２９】
可動アーク接触子２１の一方の開口縁は、円周方向に分割され、可撓性を有する指状電極となっている。指状電極の内径は、開口縁が内側へ膨出することで、対向アーク接触子１１の外径より若干小さく窄められている。対向アーク接触子１１が可動アーク接触子２１の指状電極を押し広げるように差し込まれることで、対向アーク接触子１１の外面と可動アーク接触子２１の内面とが接触し、電気的に導通できる状態となる。また、対向アーク接触子１１が可動アーク接触子２１から引き抜かれることで、対向アーク接触子１１と可動アーク接触子２１とが開離し、その間にアーク放電５０が橋絡する。
【００３０】
アーク放電５０の形状制御は、絶縁円柱体３０により構造的に達成され、また磁石３２ａ、３２ｂ等の磁気発生体により電磁気学的に達成される。図２は、絶縁円柱体３０及び磁気発生体付近の上半分の拡大図である。絶縁円柱体３０は、対向アーク接触子１１と可動アーク接触子２１との間に介在し、所定の径を有して中心軸上に延びている。この絶縁円柱体３０は中心軸上に存在し、そのため中心軸に沿ったアーク放電５０の橋絡を阻止し、絶縁円柱体３０の周囲を迂回させてアーク放電５０を橋絡させる。そのため、アーク放電５０は、対向アーク接触子１１と可動アーク接触子２１との間に延び、絶縁円柱体３０を覆う円筒形状となる。
【００３１】
磁気発生体は、対向アーク接触子１１と可動アーク接触子２１の近傍に位置し、絶縁円柱体３０の周囲に、中心軸に沿った方向の磁場成分を有する磁場を発生させる。絶縁円柱体３０の周りに円筒形状に拡がったアーク放電５０に対して、アーク放電５０が延びる軸方向と同じ方向の磁場成分を有する磁場を印加するためである。この磁場成分は、アーク放電５０の形状を交流電流の電流零点近傍においても円筒形状に維持する。
【００３２】
詳細には、絶縁円柱体３０に関し、まず、対向アーク接触子１１は先端の中央部が陥没している。換言すると、対向アーク接触子１１の先端縁、すなわち陥没部の円縁周りは、可動アーク接触子２１に向けて土手を形成するように盛り上がっている。絶縁円柱体３０は、その先端縁に囲まれる陥没部に嵌まり込んで、対向アーク接触子１１に接合されており、対向アーク接触子１１の先端から可動アーク接触子２１の開口に向かって延設されている。
【００３３】
尚、対向アーク接触子１１と可動アーク接触子２１の接触は、対向アーク接触子１１の先端縁が可動アーク接触子２１の指状電極の押し拡げるように差し込まれることで達成されるようにする。すなわち、対向アーク接触子１１の外径φＦ、可動アーク接触子２１の内径φＭ、絶縁円柱体３０の外径φＩは、φＦ＞φＭ＞φＩの関係に立つ。
【００３４】
磁気発生体に関しては、耐熱プラスチックで覆われる二つの磁石３２ａ、３２ｂを異なる極性が向き合うように中心軸上に配置する。二つの磁石３２ａ、３２ｂが作る磁力線が絶縁円柱体３０の周囲で中心軸方向に向くように磁場を形成するためである。
【００３５】
具体的には、一方の磁石３２ａを対向アーク接触子１１の先端に埋め込む。すなわち、一方の磁石３２ａは、絶縁円柱体３０と並んで其の後端に配置される。他方の磁石３２ｂは、一方の磁石３２ａの対向面の磁極と反対の磁極を対向面とし、可動アーク接触子２１の開口内に配置される。操作ロッド２５の開口縁には、中心軸と直交するように延びたステイ３４ａを接合し、ステイ３４ａから中心軸に沿って円柱状のホルダ３４ｂを対向アーク接触子１１に向けて延ばし、そのホルダ３４ｂの先端に他方の磁石３２ｂが埋め込まれる。
【００３６】
尚、絶縁円柱体３０には、ホルダ３４ｂと同径の刳り貫きが先端から中心軸に沿って形成され、ホルダ３４ｂと絶縁円柱体３０の正面衝突を回避している。ホルダ３４ｂは、操作ロッド２５の移動に連動して刳り貫き内を摺動する。
【００３７】
図１に戻り、アーク放電５０に吹き付けるガス流は、機械パッファ室２６により生成される。機械パッファ室２６は、可動接触子部２０に備えられ、操作ロッド２５の胴回りに設けられたトーラス形状の蓄圧空間を有する。この機械パッファ室２６は、操作ロッド２５に連結したシリンダ２４と密閉容器６０内に固定されたピストン２７により構成されて、操作ロッド２５と連動したシリンダ２４のピストン２７に対する相対的な移動により容積可変となっており、機械的圧縮作用を利用して消弧性ガスを蓄圧し、その消弧性ガスを室外へ放出する。
【００３８】
シリンダ２４は、一端が有底で他端が開口したコップ状の導体である。シリンダ２４の有底部内縁が操作ロッド２５の外周と接合され、操作ロッド２５と共に移動する。このシリンダ２４は、操作ロッド２５の外径よりも内径が大きく、操作ロッド２５と共通の中心軸を有する。有底部は、円盤状であり、操作ロッド２５の先端外周縁からフランジ状に拡がり、側周壁は、対向接触子部１０と反対方向に延びる。
【００３９】
ピストン２７は、ドーナツ状の平板であり、開口に操作ロッド２５が摺動可能に貫通し、外径がシリンダ２４の内径と一致し、シリンダ２４に嵌め込まれる。このピストン２７は、ピストン支え２８によって密閉容器６０内で位置固定されている。ピストン支え２８は、ピストン２７と一体的に形成され、対向接触子部１０とは反対の方向に延びている。
【００４０】
この機械パッファ室２６は、操作ロッド２５の移動に連動したシリンダ２４の移動により、シリンダ２４とピストン２７とにより画成される空間容積を減少させ、内部の消弧性ガスを蓄圧する。シリンダ２４の有底部には、可動アーク接触子２１の一回り外側に連通孔２４ａが貫設されており、この連通孔２４ａを通じて消弧性ガスのガス流を機械パッファ室２６外へ放出する。
【００４１】
機械パッファ室２６から放出されたガス流は、絶縁ノズル２３によりアーク放電５０へ案内される。絶縁ノズル２３は、両端に開口を有し、ポリテトラフルオロエチレン等の耐熱性の絶縁物からなり、シリンダ２４の有底部に立設され、機械パッファ室２６の連通孔と絶縁円柱体３０とを包み込むように延びている。
【００４２】
より詳細には、絶縁ノズル２３は、機械パッファ室２６の連通孔２４ａを包囲するように立設され、可動アーク接触子２１を所定間隔隔てて包み込みながら対向アーク接触子１１側へ中心軸に沿って延び、絶縁円柱体３０を所定間隔隔てて包み込みながら更に対向アーク接触子１１側へ中心軸に沿って延び、可動アーク接触子２１の先端縁を通過後、内径が対向アーク接触子１１の外径よりも若干大きい程度まで窄み、最小内径部分となるスロート部分に至ったところで先端に向けて直線的に拡がる形状となっている。
【００４３】
スロート部分の内径φＳとすると、スロート部分の内径φＳ、対向アーク接触子１１の外径φＦ、可動アーク接触子１１の内径φＭ、絶縁円柱体３０の外径φＩは、φＳ＞φＦ＞φＭ＞φＩの関係に立つ。
【００４４】
すなわち、絶縁ノズル２３と絶縁円柱体３０との間には、円筒状空間３１が画成され、その円筒状空間３１に対向アーク接触子１１の先端縁と可動アーク接触子２１の先端が差し込まれるように存在し、アーク放電５０が発弧し、また機械パッファ室２６から放出されたガス流が案内される。
【００４５】
アーク放電５０に案内されたガス流は、円筒状空間３１から対向接触子部１０側と可動接触子部２０側に分流され、密閉容器６０に放散する。対向接触子部１０側には、対向通電接触子１２の可動接触子部２０とは反対側の縁に延設された排気筒１５が設けられる。また、可動接触子部２０側は、操作ロッド２５の中程に中空部とロッド外部とを繋ぐ連通孔２５ｂが貫設されている。連通孔２５ｂはピストン２７の背後に形成される。連通孔２５ｂよりも後端側には、操作ロッド２５の先端側へ尖ったテーパ面２５ａが立ちはだかるように設けられ、連通孔２５ｂへガス流を案内する。
【００４６】
（作用）
通電状態では、対向通電接触子１２と可動通電接触子２１が電気的に接続されており、これらの部材が電路の一つとなる。特に図示しないが、密閉容器６０には２本の導体がそれぞれスペーサによって対向接触子部１０側と可動接触子部２０側とに固定されている。スペーサは密閉容器６０と導体とを絶縁するとともに、導体を支持するものである。通電状態において電流は、ブッシング（図示しない）を介してガス遮断器に流れ込み、対向接触子部１０側の導体から上記電路となる部材、及び可動接触子部２０側の導体とブッシング（図示しない）を介してガス遮断器外部へ流れ出す。
【００４７】
過大な事故電流、進み小電流、リアクトル遮断等の遅れ負荷電流、又は極めて小さな事故電流の遮断を要する場合、操作ロッド２５は、駆動装置の操作力を受けて、対向接触子部１０とは反対の方向に中心軸に沿って移動する。そうすると、可動接触子部２０が対向接触子部１０に対し離れるように中心軸に沿って移動し、対向通電接触子１２に対して可動通電接触子２２が開離する。
【００４８】
また、可動接触子部２０の移動によって、操作ロッド２５に連結しているシリンダ２４は、その有底部が位置固定のピストン２７に対して接近するように移動するため、機械パッファ室２６の容積減少が発生し、ボイルの法則に従い機械パッファ室２６内の消弧性ガスが蓄圧される。遮断動作が更に進行し、対向アーク接触子１１に対して可動アーク接触子２１が開離すると、対向アーク接触子１１と可動アーク接触子２１との間にアーク放電５０が橋絡する。
【００４９】
図３は、アーク放電５０の橋絡を示し、（ａ）は側面図、（ｂ）は遮断電流の瞬時値が大きい位相、（ｃ）は遮断電流の瞬時値が小さい位相を示す。また、図４は、アーク放電５０近傍の磁力線を示す図である。
【００５０】
図３の（ａ）（ｂ）に示すように、アーク放電５０は、対向アーク接触子１１と可動アーク接触子２１との間にはアーク放電５０が橋絡するが、中心軸上及びその一定半径範囲は、絶縁物である絶縁円柱体３０が存在するため、絶縁円柱体３０を覆うように形成される。すなわち、アーク放電５０は、円筒状空間３１に均一に分布して延び、その形状は円筒形状となる。
【００５１】
ここで、図４に示すように、二つの磁石３２ａ、３２ｂは、絶縁円柱体３０の周囲に中心軸に沿った方向の磁場成分を有する磁場を発生させる。換言すると、二つの磁石３２ａ、３２ｂにより、円筒状空間３１を中心軸に沿って通り抜ける磁力線５５が分布する。すなわち、一方の磁石３２ａの対向極から出た磁力線５５は円筒状空間３１内を中心軸上を沿って他方の磁石３２ｂの対向極に向かう。尚、アーク放電５０は非常に高温であるが、磁石３２ａ、３２ｂは耐熱プラスチックにカバーされているため、その磁力が劣化することはない。
【００５２】
電流の方向と同じ方向の磁場成分を有する磁場をアーク放電５０に印加した場合、電流の担い手である電子は磁力線５５の周りに巻き付くように流れるため、電流の方向は変化しにくくなる。そうすると、図３の（ａ）（ｃ）に示すように、円筒形状を形成したアーク放電５０は、二つの磁石３２ａ、３２ｂの磁場により電流の方向が変化し難くなり、遮断電流の瞬時値が大から小へ位相が変化しても、偏りが生じずに均一な分布を維持し、円筒形状を保つようになる。
【００５３】
そのため、更に遮断動作が進行し、機械パッファ室２６が十分蓄圧されて、機械パッファ室２６内の消弧性ガスが連通孔２４ａを通って絶縁ノズル２３と絶縁円柱体３０との間の円筒状空間３１に噴出すると、そのガス流は、薄く円筒状に延びたアーク放電５０の外表面及び内表面に全周にわたって接触することとなる。アーク放電５０の冷却は、アーク放電５０の高温部と、その周囲を流れる低温のガス流との接触面積が大きいほど顕著に行われるが、薄く円筒状に延びたアーク放電５０は広い接触面積を有し、その分だけ多くの熱交換を行い、冷却性能が高まる。
【００５４】
更に、このアーク放電５０の円筒形状は、遮断電流の瞬時値が大から小へ変化し、電流零点に向かう段階でも磁場により維持されることとなり、多くの熱交換は続き、冷却性能は持続する。そして、電流零点を迎えると、アーク放電５０は強力な消弧性ガスの吹き付けと相俟って消弧に至り、電流遮断が完了する。
【００５５】
尚、噴出した消弧性ガスは、対向接触子部１０側に関しては、対向アーク接触子１１と対向通電接触子２１との間を通り、排気筒１５から抜ける。また、噴出した消弧性ガスは、両端開口の筒状の可動アーク接触子２１、可動アーク接触子２１が立設する端面が開口した操作ロッド２５の中空内部を通り、途中に設けられたテーパ面２５ａで操作ロッド２５の側壁に連通孔２５ｂに案内されながら、密閉容器６０へ抜ける。
【００５６】
（効果）
以上のように、本実施形態のガス遮断器は、円筒形状に広げたアーク放電５０の形状を遮断電流の瞬時値が大であろうと小であろうと、その形状を維持するよう制御するものである。そのために、電流の方向に変化が生じ難い措置を採ったものであり、その措置とはアーク放電５０と同方向の磁場の発生としたものである。
【００５７】
すなわち、円筒状の絶縁ノズル２３の内部に同心状に設けられる絶縁円柱体３０を配置し、その絶縁ノズル２３と絶縁円柱体３０との間に円筒状空間３１を形成するようにした。また、アーク放電５０の軸方向と同じ方向の磁場成分を有する磁場を円筒状空間３１内に作る磁石３２ａ、３２ｂを設けるようにした。円筒状空間３１には、対向アーク接触子１１と可動アーク接触子２１の先端を対向して挿入し、また蓄圧空間で消弧性ガスを蓄圧して円筒状空間３１に放出するようにした。
【００５８】
これにより、遮断電流の瞬時値の小さい位相であっても、アーク放電５０は円筒状を維持し、消弧性ガスのガス流に触れる表面積が広くなるので、アーク放電５０を冷却する性能が向上し、以ってガス遮断器の遮断性能を向上させることができる。尚、このガス遮断器では、電流が小さい場合でも円筒形状のアーク放電５０を維持させることができるので、進み小電流等の小さな電流を遮断するガス遮断器においても好適である。
【００５９】
（第２の実施形態）
次に、図５及び６を参照しつつ、第２の実施形態に係るガス遮断器を説明する。このガス遮断器は、磁石３２ａ、３２ｂの配置が第１の実施形態と異なり、その余は同一構成につき、同一構成の説明は省略する。
【００６０】
（構成）
第２の実施形態に係るガス遮断器では、電流遮断過程において、アーク放電５０の円筒状空間３１内での移動を制御し、アーク放電５０の熱に直接曝されていない比較的低温なガス流に絶えず触れさせるようにした上で接触子間に橋絡させる。
【００６１】
図５に示すように、このガス遮断器では、第１の実施形態と同じく電磁気学的にアーク放電５０を制御するものであるが、二つの磁石３２ａ、３２ｂは同じ磁極を対向させて設置されている。二つの磁石３２ａ、３２ｂが作り出す磁場は互いに反発しあい、磁力線５５は絶縁円柱体３０の中程で中心軸から半径方向に離れるように延びて分布し、円筒状空間３１を垂直に横切る磁場成分を有する磁場が発生する。換言すると、筒状のアーク放電５０が延びる方向と直交する磁場成分を有する磁場が発生する。
【００６２】
（作用）
このガス遮断器では、電流の方向と垂直な磁場成分を有する磁場内にアーク放電５０を発弧させ、電流の担い手である電子に対し、円筒状空間３１内で周方向のローレンツ力を与える。電流の方向を維持する力は生じないため、遮断電流の瞬時値が小さくなると、円筒状空間３１に偏って分布するアーク放電５０に変化するが、そのアーク放電５０はローレンツ力と交流電流の位相変化を受けて円筒状空間３１内を揺動する別の力が生じることとなる。
【００６３】
そうすると、アーク放電５０は、遮断時に流れる電流である遮断電流の瞬時値が小さい位相で表面積こそ広くはならないが、図６に示すように、交流電流の位相変化に応じたローレンツ力の向き変化により円筒状空間３１内で揺動するため、アーク放電５０の熱に直に曝されてはいない比較的低温のガス流に絶えず触れるため、絶えず活発な熱交換が生じる。
【００６４】
つまり、遮断電流の瞬時値が大きい位相では、アーク放電５０を円筒状にすることで表面積が広くなり、遮断電流の瞬時値が小さい位相では、アーク放電５０を円筒状空間３１内で揺動させて、熱交換対象のガス流が絶えず交替する。
【００６５】
（効果）
以上のように、本実施形態のガス遮断器は、アーク放電５０の熱に直に曝されてはいない比較的低温のガス流と絶えず熱交換させるように、アーク放電５０を移動させるものである。そのために、アーク放電５０を円筒状空間３１内で揺動させる措置を採ったものであり、その措置とはアーク放電５０と垂直方向の磁場成分を有する磁場を発生させて周回方向のローレンツ力を発生させたものである。
【００６６】
すなわち、本実施形態のガス遮断器は、円筒状の絶縁ノズル２３の内部に同心状に設けられる絶縁円柱体３０を配置し、その絶縁ノズル２３と絶縁円柱体３０との間に円筒状空間３１を形成するようにした。また、アーク放電５０の軸方向と垂直方向の磁場成分を有する磁場を円筒状空間３１内に作る磁石３２ａ、３２ｂを設けるようにした。円筒状空間３１には、対向アーク接触子１１と可動アーク接触子２１の先端を対向して挿入し、また蓄圧空間で消弧性ガスを蓄圧して円筒状空間３１に放出するようにした。
【００６７】
これにより、遮断電流の瞬時値の小さい位相では、アーク放電５０を揺動させることにより、熱交換対象のガス流をアーク放電５０の熱に直接曝されていないガス流に絶えず交替させることができ、アーク放電５０を冷却する性能が向上し、以ってガス遮断器の遮断性能を向上させることができる。尚、このガス遮断器では、進み小電流等の小さな電流を遮断するガス遮断器においても好適である。
【００６８】
（第３の実施形態）
一般的に、ガス遮断器の製品寿命は数十年程度が要求されている。磁石３２ａ、３２ｂは、数十年の期間において、度重なる温度変化および電流が作る交流磁場が連続的に印加されるため、その磁力の経時的な劣化はある程度避けられない。そこで、磁気発生体としては、永久磁石の代わりにコイルとすることもできる。すなわち、磁石３２ａ、３２ｂが配置されていた位置にコイルを配置する。
【００６９】
（構成）
また、図７に示すように、磁石３２ａ、３２ｂの代わりにコイル３３を配置するガス遮断器は、そのコイル３３に流す電流として遮断電流を利用することができる。このガス遮断器では、筒状の可動アーク接触子２１の中程から後端までをコイル形状に形成する。このコイル３３には、電流遮断過程において可動アーク接触子２１を通じて遮断電流が流れ、磁場が形成される。
【００７０】
可動アーク接触子２１の後端側に位置するコイル３３が発生させる磁場は、コイル３３から中心軸に沿って出て、絶縁円柱体３０の中程で円筒状空間３１を垂直に横切る磁力線５５のように分布する。換言すると、筒状のアーク放電５０が延びる方向と直交する磁場成分を有する磁場が発生する。
【００７１】
（作用）
この磁場成分は、図８に示すように、コイル３３に供給される遮断電流が交流であるため、交流電流の位相、すなわちアーク放電５０の電流の向きと連動して、中心軸から外側へ向かって円筒状空間３１を垂直に横切る磁力線５５と、外側から中心軸に向かって円筒状空間３１を垂直に横切る磁力線５５とに変化する。そのため、電流の担い手である電子は一方向のローレンツ力を受け、アーク放電５０は円筒状空間３１を周回するようになる。そのため、アーク放電５０の周回速度は加速されていく。
【００７２】
（効果）
以上により、第３の実施形態に係るガス遮断器では、磁石３２ａ、３２ｂに代えてコイル３３を磁気発生手段とした。コイル３３は何れに設置することも可能であり、設置箇所に応じてアーク放電５０に対して同方向の磁場成分を発生させたり、垂直方向の磁場成分を発生させることもできる。そして、コイル３３の磁力は、永久磁石と異なり経時的な劣化が少ないので、高い遮断性能とともに、製品寿命が長いガス遮断器を提供することができる。
【００７３】
更に、コイル３３には遮断電流を流すようにすることで、アーク放電５０は円筒状空間３１を一方向に周回するようになり、その周回速度は加速されていくため、アーク放電５０の冷却性能は更に高まる。この冷却性能は、アーク放電５０の点弧時間が長くなるほど、周回速度が高くなるので、更に高まる。尚、このガス遮断器では、電流が小さい場合でも円筒形状のアーク放電５０を維持させることができるので、進み小電流等の小さな電流を遮断するガス遮断器においても好適である。
【００７４】
（第４の実施形態）
更に、第４の実施形態に係るガス遮断器について詳細に説明する。図９の（ａ）は、第４の実施形態に係るガス遮断器の軸方向に沿った側断面図、（ｂ）は、シリンダ２４の連通孔２４近傍の絶縁ノズル２３内部を軸との直交方向で切った縦断面図である。
【００７５】
（構成）
図９に示すように、このガス遮断器では、ガス流により円筒状空間３１内のアーク放電５０に対して周方向の力を与える。すなわち、シリンダ２４の連通孔２４近傍の絶縁ノズル２３内部には、ガス流を旋回流に変化させるガイド板４０が多数配置される。ガイド板４０は、絶縁ノズル２３と可動アーク接触子２１とを繋ぐように立設し、可動アーク接触子２１の周りに所定間隔空けて、円周等配位置で配列する。また、各ガイド板４０は、中心軸が延びる方向に対して斜交するように設置される。
【００７６】
（作用）
円周等配位置に配置されたガイド板４０は、ガス流を旋回流に変化させる整流手段の一例である。機械パッファ室２６から放出されたガス流は、ガイド板４０の斜交面から円筒状空間３１の周方向への抗力が与えられ、旋回流に変化する。消弧ガスの旋回流は、アーク放電５０にも円筒状空間３１の周方向への旋回力を与え、アーク放電５０を円筒状空間３１内で周回させる。そのため、アーク放電５０は、アーク放電５０の熱に直に曝されてはいない比較的低温のガス流に絶えず触れ、絶えず活発な熱交換が生じる。
【００７７】
（効果）
以上のように、このガス遮断器では、円筒状の絶縁ノズルの内部に同心状に設けられる絶縁円柱体３０を設け、絶縁ノズルの内面と絶縁円柱体３０の外面とにより形成される円筒状空間３１にアーク放電５０を発生させる。そして、円筒状空間３１のガス流を旋回流に整流し、当該旋回流によりアーク放電５０に旋回力を与えるガイド板４０等のガス整流手段を備えるようにした。
【００７８】
これにより、例え磁力線５５が無い、もしくは弱くても、強力なガス流の旋回流れにより、円筒状空間３１内でアーク放電５０を揺動又は周回させることができる。従って、アーク放電５０の熱に直に曝されてはいない比較的低温のガス流に絶えず触れ、絶えず活発な熱交換が生じ、冷却性能を高め、以って遮断性能の向上を図ることができる。尚、このガイド板４０は、第１乃至３の実施形態における電磁気学的なアーク放電５０の形状制御又は移動制御と併用することも可能である。
【００７９】
（その他の実施形態）
本明細書においては、本発明に係る各実施形態を説明したが、これら実施形態は例として提示したものであって、発明の範囲を限定することを意図していない。これら実施形態で開示の構成の全て又はいずれかを組み合わせたものも包含される。以上のような実施形態は、その他の様々な形態で実施されることが可能であり、発明の範囲を逸脱しない範囲で、種々の省略や置き換え、変更を行うことができる。これら実施形態やその変形は、発明の範囲や要旨に含まれると同様に、特許請求の範囲に記載された発明とその均等の範囲に含まれるものである。
【００８０】
例えば、本実施形態や変形例のガス遮断器は、対向接触子部１０を固定して、可動接触子部２０のみ軸方向に移動させるよう構成したが、対向接触子部１０に対して可動接触子部２０が相対的に移動するように、対向接触子部１０も軸方向に移動させ、相対的開極速度を向上させようとするいわゆるデュアルモーション機構にしても良い。
【００８１】
また、アークの熱エネルギーを取り込んで蓄圧する蓄圧空間を有するいわゆる自力効果を用いたタイプのガス遮断器や、機械的作用の蓄圧空間と熱エネルギー作用による蓄圧空間を併用するガス遮断器に対しても適用可能である。
【００８２】
更に、従来、消弧性ガスとして広く用いられているＳＦ６ガスは、非常に地球温暖化への影響が高い人工ガスと認識されており、昨今その使用量の削減が望まれている。ＳＦ６ガスの代わりに環境への負荷が少ない自然由来のガス，例えばＮ２ガスやＣＯ２ガスなどを使用することが検討されている。
【００８３】
しかしながら、これらのガスを使用した場合、ガスの物理化学的性質の違いからＳＦ６ガスに比べアークの冷却効果が大幅に低下し、遮断性能が大きく劣ることが問題となっていた。このため、たとえＮ２ガスやＣＯ２ガスを使用した場合においても、十分な遮断性能が得られるように、構造的にアークの冷却性を高める工夫をする必要があった。
【００８４】
各実施例で提案した構成をとると、たとえＮ２ガスやＣＯ２ガスなどを消弧性ガスとして用いても、その遮断性能を大幅に向上させることができる。特に、Ｎ２ガスやＣＯ２ガスなどは，ＳＦ６ガスよりも分子量が小さいため，絶縁ノズル２３のスロート部でのアーク放電５０の絶縁円柱体３０周りの回転速度がＳＦ６ガス中よりも速くなる。
【００８５】
すなわち、磁場の印加によってアーク放電５０を回転させた場合の遮断性能の向上効果は、ＳＦ６ガスの場合よりもより顕著に得られる。これにより、遮断性能が高く、かつ製品寿命が長いガス遮断器を提供することができ、尚かつ、温暖化ガスの使用量を低減もしくは削減した、環境にやさしいガス遮断器を提供することができる。
【符号の説明】
【００８６】
１０  対向接触子部
１１  対向アーク接触子
１２  対向通電接触子
１３  固定支え
１４  絶縁支持部材
１５  排気筒
２０  可動接触子部
２１  可動アーク接触子
２２  可動通電接触子
２３  絶縁ノズル
２４  シリンダ
２４ａ  連通孔
２５  操作ロッド
２５ａ  テーパ面
２５ｂ  連通孔
２６  機械パッファ室
２７  ピストン
２８  ピストン支え
３０  絶縁円柱体
３１  円筒状空間
３２ａ  磁石
３２ｂ  磁石
３３  コイル
３４ａ  ステイ
３４ｂ  ホルダ
４０  ガイド板
５０  アーク放電
５５  磁力線
６０  密閉容器
【図１】
2015002142.tif 000003
【図２】
2015002142.tif 000004
【図３】
2015002142.tif 000005
【図４】
2015002142.tif 000006
【図５】
2015002142.tif 000007
【図６】
2015002142.tif 000008
【図７】
2015002142.tif 000009
【図８】
2015002142.tif 000010
【図９】
2015002142.tif 000011
【図１０】
2015002142.tif 000012